(57)【要約】  【課題】  構成枚数が少なくコンパクトでありながら、結像性能が高いズームレンズを提供すること。  【解決手段】  物体側より順に、像側に強い凹面を向けた負レンズＬ11と正レンズＬ12の２枚からなり１面以上の非球面を有し負の屈折力を有する第１レンズ群、物体側から正レンズＬ21と、正レンズＬ22及び負レンズＬ23を順に接合して構成したレンズ成分を有し正レンズＬ22と負レンズＬ23との接合面を除くいずれか２面以上に非球面を有し正の屈折力を有する第２レンズ群、１つの正レンズ成分からなる第３レンズ群よりなり、無限遠物点合焦時における広角端から望遠端への変倍時に、第１レンズ群と第２レンズ群との間隔が減少し、第２レンズ群と第３レンズ群との間隔が増大し、以下の条件式を満たす。      ２．１＜  ｜β２Ｔ｜  ＜  ２．８  但し、β２Ｔは無限遠物点合焦時の望遠端における第２レンズ群全体の倍率である。【選択図】  図１
2006227197.tif 000002
【特許請求の範囲】
【請求項１】
物体側より順に、
全体として負の屈折力を有し、像側に強い凹面を向けた負レンズＬ11と正レンズＬ12の２枚からなり、１面以上の非球面を有する第１レンズ群と、
全体として正の屈折力を有し、物体側から正レンズＬ21と、正レンズＬ22及び負レンズＬ23の順に接合して構成したレンズ成分とを有し、前記正レンズＬ22と負レンズＬ23との接合面を除くいずれか２面以上に非球面を有する第２レンズ群と、
１つの正レンズ成分からなる第３レンズ群よりなり、
無限遠物点合焦時に広角端から望遠端への変倍に際して、前記第１レンズ群と前記第２レンズ群との間隔が減少し、前記第２レンズ群と前記第３レンズ群との間隔が増大し、且つ以下の条件式を満たすことを特徴とするズームレンズ。
２．１  ＜  ｜β２Ｔ｜  ＜  ２．８
但し、β２Ｔは無限遠物点合焦時の望遠端における前記第２レンズ群全体の倍率である。
【請求項２】
以下の条件式を満たすことを特徴とする請求項１に記載のズームレンズ。
０．４  ＜  ｜ｆ１｜／ｆＴ  ＜  ０．７
但し、ｆ１は第１レンズ群の焦点距離、ｆＴは望遠端でのズームレンズ全系の焦点距離である。
【請求項３】
前記負レンズＬ11が像側の面に非球面を有することを特徴とする請求項１又は２に記載のズームレンズ。
【請求項４】
前記正レンズＬ21が両面非球面レンズであることを特徴とする請求項１乃至３のいずれか１項に記載のズームレンズ。
【請求項５】
以下の条件式を満たすことを特徴とする請求項１乃至４のいずれか１項に記載のズームレンズ。
０．７  ＜  ｆ３／ｆＴ  ＜１．２
但し、ｆ３は第３レンズ群の焦点距離、ｆＴは望遠端でのズームレンズ全系の焦点距離である。
【請求項６】
以下の条件式を満たすことを特徴とする請求項1乃至５のいずれか１項に記載のズームレンズ。
２０  ＜  ｜ｖ22−ｖ23｜
但し、ｖ22は正レンズＬ22のアッベ数、ｖ23は負レンズＬ23のアッベ数である。
【請求項７】
前記第３レンズ群を構成する正レンズ成分の空気に接する入射面及び射出面の両面が非球面であることを特徴とする請求項1乃至６のいずれか１項に記載のズームレンズ。
【請求項８】
前記第２レンズ群が、物体側から正レンズＬ21と、正レンズＬ22及び負レンズＬ23の２枚のレンズを順に接合したレンズ成分と、正レンズＬ24との４枚構成であることを特徴とする請求項１乃至７のいずれか１項に記載のズームレンズ。
【請求項９】
前記第３レンズ群を、１枚の正レンズＬ31で構成したことを特徴とする請求項１乃至８のいずれか１項に記載のズームレンズ。
【請求項１０】
前記第１レンズ群と前記第２レンズ群との間に、広角端から望遠端への変倍に際して前記第２レンズ群と一体で移動する絞りを有することを特徴とする請求項１乃至９のいずれか１項に記載のズームレンズ。
【請求項１１】
請求項１乃至１０のいずれか１項に記載のズームレンズと、その像側に配された電子撮像素子とを備えた撮像装置。
【発明の詳細な説明】
【技術分野】
【０００１】
本発明は、ズームレンズ及びそれを用いた電子撮像装置、特に、ズームレンズ等の光学系部分の工夫により奥行き方向の薄型化を実現したズームレンズ及びそれを用いたデジタルカメラ等の電子撮像装置に関する。
【背景技術】
【０００２】
近年、銀塩３５ｍｍフィルム（通称ライカ版）に代わりデジタルカメラがカメラ市場の主流となっており、業務用高機能タイプからポータブルな普及タイプまで幅広い範囲でいくつものカテゴリーを有するようになってきている。このようなカメラの奥行き方向の厚さを薄くすることに対して、最大のネックとなっているのは光学系、特にズームレンズ系の最も物体側の面から撮像面までの厚みである。そのため、最近では、撮影を行う時に光学系をカメラボディ内からくり出し、それ以外の時には光学系をカメラボディ内に収納する、いわゆる沈胴式鏡筒を採用することが主流となっている（特許文献１、２及び３参照）。
【特許文献１】特開平１１−１４２７３３号公報
【特許文献２】特開２００２−３７２６６７号公報
【特許文献３】特開２００２−１９６２４０号公報
【発明の開示】
【発明が解決しようとする課題】
【０００３】
このような沈胴式鏡筒は使用するレンズタイプによって光学系の沈胴状態における厚み、すなわち沈胴厚が大きく異なる。例えば、特許文献１に記載されているような最も物体側のレンズ群が正の屈折力を有するいわゆる正先行型ズームレンズでは、変倍比が５倍程度と高いズーム比を実現しているが、沈胴厚が厚く、全長も大きい。一方、特許文献２や特許文献３に記載されているような、最も物体側のレンズ群が負の屈折力を有するいわゆる負先行型で特に２及び３群構成のズームレンズは、沈胴厚が薄く、コンパクトであるが、変倍比は３倍程度である。
【０００４】
本発明は、このような従来技術の問題点に鑑みてなされたものであり、その目的とするところは、構成枚数が少なく沈胴時にコンパクトでありながら、結像性能が高く、ズーム比の大きいズームレンズを提供することである。特に、Ｆ値が２．６程度と明るく、ズーム比が５倍程度と大きく、広角端での画角が６０°程度と広角で結像性能を高くし得るズームレンズを提供することである。
【課題を解決するための手段】
【０００５】
上記の目的を達成するために、本発明によるズームレンズは、物体側より順に、像側に強い凹面を向けた負レンズＬ11と正レンズＬ12の２枚からなり１面以上の非球面を有し全体として負の屈折力を有する第１レンズ群と、物体側から正レンズＬ21と、正レンズＬ22及び負レンズＬ23の順に接合して構成したレンズ成分とを有し前記正レンズＬ22と負レンズＬ23との接合面を除くいずれか２面以上に非球面を有し全体として正の屈折力を有する第２レンズ群と、１つの正レンズ成分からなる第３レンズ群よりなり、無限遠物点合焦時に広角端から望遠端への変倍に際して、前記第１レンズ群と前記第２レンズ群との間隔が減少し、前記第２レンズ群と前記第３レンズ群との間隔が増大し、且つ以下の条件式を満たすことを特徴とする。
２．１＜  ｜β２Ｔ｜  ＜  ２．８
但し、β２Ｔは無限遠物点合焦時の望遠端における前記第２レンズ群全体の倍率である。
【０００６】
また、本発明によるズームレンズは、以下の条件式を満たすことが好ましい。
０．４  ＜  ｜ｆ１｜／ｆＴ  ＜  ０．７
但し、ｆ１は第１レンズ群の焦点距離、ｆＴは望遠端でのズームレンズ全系の焦点距離である。
【０００７】
また、本発明によるズームレンズは、前記負レンズＬ11が像側の面に非球面を有することが好ましい。
【０００８】
また、本発明によるズームレンズは、前記正レンズＬ21は両面非球面レンズであることが好ましい。
【０００９】
また、本発明によるズームレンズは、以下の条件式を満たすことが好ましい。
０．７  ＜  ｆ３／ｆＴ  ＜１．２
但し、ｆ３は第３群の焦点距離、ｆＴは望遠端でのズームレンズ全系の焦点距離である。
【００１０】
また、本発明によるズームレンズは、以下の条件式を満たすことが好ましい。
２０  ＜  ｜ｖ22−ｖ23｜
但し、ｖ22は正レンズＬ22のアッベ数、ｖ23は負レンズＬ23のアッベ数である。
【００１１】
また、本発明によるズームレンズは、前記第３レンズ群を構成する正レンズ成分の空気に接する入射面及び射出面の両面が非球面であることが好ましい。
【００１２】
また、本発明によるズームレンズは、前記第２レンズ群が、物体側から正レンズＬ21と、正レンズＬ22及び負レンズＬ23の２枚のレンズを順に接合したレンズ成分と、正レンズＬ24との４枚構成であることが好ましい。
【００１３】
また、本発明によるズームレンズは、前記第３レンズ群を、１枚の正レンズＬ31で構成することが好ましい。
【００１４】
また、本発明によるズームレンズは、前記第１レンズ群と前記第２レンズ群との間に、広角端から望遠端への変倍に際して前記第２レンズ群と一体で移動する絞りを有することが好ましい。
【００１５】
また、上記の目的を達成するために、本発明による撮像装置は請求項１乃至１０のいずれか１項に記載のズームレンズと、その像側に配された電子撮像素子とを備える。
【発明の効果】
【００１６】
本発明によれば、結像性能が高く、沈胴時の全長が短いズームレンズを得ることができる。
【発明を実施するための最良の形態】
【００１７】
実施例の説明に先立ち、本発明の作用効果について説明する。
電子撮像素子に適したズームレンズとして、負の第１群、正の第２群及び正の第３群からなる３群構成のズームレンズが知られている。本発明でもこのような３群構成を採用した。このような構成にすることでテレセントリック性が良くなり、ＣＣＤに効率的に光線を入射させることができる。また、バックフォーカスを長くとることができるため、光学的ローパスフィルターや赤外線カットフィルターといった部材を配置するスペースが確保できる。
【００１８】
第１レンズ群は、像側に強い凹面を向けた負レンズＬ11と正レンズＬ12の２枚構成とした。この第１レンズ群を１枚以上の非球面を有する構成にすれば、色収差や各軸外収差は良好に補正可能となり、少ない枚数で構成することが可能となる。さらに、Ｌ11の像側面に非球面を配すると、広角端での軸外収差の補正に非常に効果的である。なお、像側に強い凹面を向けた負レンズとは、物体側面の曲率絶対値よりも像側凹面の曲率絶対値が大きい負レンズを意味する。
【００１９】
第２レンズ群は物体側から順に、正レンズＬ21と、正レンズＬ22及び負レンズＬ23の順からなる接合レンズとを有する構成とし、さらに複数の非球面を導入している。このような構成にすると第２レンズ群内で発生する収差量を抑えることができる。また、第２レンズ群内の負レンズＬ23は、正レンズで発生する球面収差、コマ収差をキャンセルするという働きをする。その一方で、他のレンズに対する相対的偏心による偏心収差の発生が大きいため主として補正の対象となっている面を有する正レンズと接合することで相対偏心による収差の発生を抑制している。このとき、できるだけ接合レンズ成分内で収差をキャンセルして偏心敏感度を小さくするようにすれば、残る単独の正レンズ成分との相対偏心敏感度を小さくすることができる。なお、球面収差補正、群内相対偏心敏感度の緩和及び製造コストの点から、第２レンズ群に導入する複数の非球面は、負レンズＬ21の両面とすると有利である。
【００２０】
第３レンズ群は１枚の正レンズ成分により構成している。この正レンズ成分に強いパワーを持たせなければ、収差補正の面から考えても実用上の問題はない。また、第１レンズ群及び第２レンズ群で補正し切れなかった残存収差を補正するために、この正レンズ成分を両面非球面とすると、像面湾曲等の収差補正に非常に効果的である。なお、レンズ成分は、単レンズまたは接合レンズを１つの構成単位とする。
【００２１】
また、歪曲収差が補正しきれない場合については、任意に画像処理で補正する手段をとれば良い。
【００２２】
本発明によるズームレンズは、以下の条件式を満足するように構成している。
２．１＜  ｜β２Ｔ｜  ＜  ２．８
但し、β２Ｔは無限遠物点合焦時の望遠端における第２レンズ群全体の倍率である。
この条件式の上限を上回った場合、変倍比が大きくなるためズームレンズの小型化に繋がるが、第１レンズ群及び第２レンズ群のパワーが大きくなってしまい、収差補正が困難になる。下限を下回った場合には、広角端において第１レンズ群と第２レンズ群との間隔が長くなりすぎてしまうため、第１レンズ群の有効径を大きくせざるを得ず、その結果、レンズの厚さも厚くなるため小型化が困難になってしまうなど、広角側での負の歪曲収差が生じやすくなる。
ここで、この条件式において、下限値を２．３、さらには２．５、上限値を２．７５、さらには２．７とするとより好ましい。
【００２３】
また、本発明によるズームレンズは以下の条件式を満足するように構成することが好ましい。
０．４  ＜  ｜ｆ１｜／ｆＴ  ＜  ０．７
但し、ｆ１は第１レンズ群の焦点距離、ｆＴは望遠端でのズームレンズ全系の焦点距離である。
この条件式の上限を上回った場合、第１レンズ群のパワーが緩くなるため、変倍時の移動量が大きくなり、結果としてズームレンズの全長を小型化することが困難になる。下限を下回った場合には、第１レンズ群で発生する収差が補正しきれなくなり、２枚のレンズで構成することが困難になってしまう。
ここで、この条件式において、下限値を０．４５、さらには０．５、上限値を０．６５、さらには０．６とするとより好ましい。
【００２４】
また、本発明によるズームレンズは以下の条件式を満足するように構成することが好ましい。
０．７  ＜  ｆ３／ｆＴ  ＜１．２
但し、ｆ３は第３レンズ群のズームレンズ全系の焦点距離である。
この条件式の上限を上回った場合、バックフォーカスが大きくなり、また、第３レンズ群でフォーカスを行ったときに移動量が増加してしまいスペースの確保が必要となるため、小型化が困難になる。下限を下回った場合には、第３レンズ群で発生する収差が大きくなり、１枚のレンズ成分による構成では収差補正ができなくなってしまう。
ここで、この条件式において、下限値を０．８、さらには０．９、上限値を１．１７、さらには１．１３とするとより好ましい。
【００２５】
また、本発明によるズームレンズは、以下の条件式を満たすように構成することが好ましい。
２０  ＜  ｜ｖ22−ｖ23｜
但し、ｖ22は正レンズＬ22のアッベ数、ｖ23は負レンズＬ23のアッベ数である。
この条件式の下限を下回った場合には、軸上色収差、倍率色収差が補正不足になりやすい。
【００２６】
また、第２レンズ群における構成を、物体側から正レンズＬ21と、正レンズＬ22及び負レンズＬ23の２枚のレンズを順に接合したレンズ成分と、正レンズＬ24との４枚構成とすると、第２レンズ群での屈折力を確保しつつ収差補正と小型化のバランスがとりやすくなる。
【００２７】
また、第３レンズ群を、１枚の正レンズＬ31で構成することで、構成レンズ枚数を少なくし、沈胴時の小型化に有利となる。
【００２８】
また、絞りを第１レンズ群と第２レンズ群との間に配し、広角端から望遠端への変倍に際して第２レンズ群と一体で移動する構成とすると、第３レンズ群からの射出光束を平行にしやすく、また第２レンズ群をコンパクトに構成しやすく、さらに第１レンズ群の広角端におけるレンズ系の大型化を抑えることができる。
【００２９】
さらに、本願発明のズームレンズは、電子撮像素子を備えた電子撮像装置に用いると、沈胴時にコンパクトでズーム比の大きい電子撮像装置を構成することができる。
【００３０】
なお、第１レンズ群の負レンズＬ11を両凹形状とし、正レンズＬ12を物体側に凸面を向けた正メニスカスレンズとすると、第１レンズ群の負のパワーを３つの面で分担することができるので、第１レンズ群の厚みを小さくし、球面収差、コマ収差の補正にも有利となる。
また、第２レンズ群の正レンズＬ21を両凸レンズとし、正レンズＬ22と負レンズＬ23とを接合して構成した接合レンズを、物体側に凸面を向けたメニスカス形状とし、正レンズＬ24を物体側に凸面を向けた正メニスカスレンズとすることが好ましい。第２レンズ群をこのような構成とすれば、第２レンズ群へ入射した光を、第２レンズ群の有する物体側の３つの凸面にて収差を抑えながら収束光に変換することができ、第２レンズ群の径の小型化に有利となる。また、第２レンズ群が、物体側から正、負、正のパワー配分となるので、第２レンズ群自体の収差発生を抑え易くなる。また、第２レンズ群の接合レンズとレンズＬ24とを物体側よりに凸面を向けたメニスカス形状とすることにより、第２レンズ群の主点を物点側にすると共に、望遠端における第１レンズ群と第２レンズ群との主点間隔を小さくし、高変倍比に有利となる。
【００３１】
以下、図示した実施例に基づき、本発明を詳細に説明する。
なお、以下の各実施例において、ＲＤＹは各レンズ面の曲率半径、ＴＨＩは各レンズの肉厚または間隔、Ｎｄは各レンズの屈折率、Ｖｄは各レンズのアッベ数、Ｋは円錐係数、Ａ4，Ａ6，Ａ8，Ａ10は非球面係数をそれぞれ示している。
また、上記各非球面形状は、上記各非球面係数を用いて以下の式で表される。但し、光軸方向の座標をＺ、光軸と垂直な方向の座標をＹとする。
Ｚ＝（Ｙ2／ｒ）／［１＋｛１−（１＋Ｋ）・（Ｙ／ｒ）2｝1/2］
＋Ａ4Ｙ4＋Ａ6Ｙ6＋Ａ8Ｙ8＋Ａ10Ｙ10
なお、非球面係数中、例えば、実施例１の非球面２におけるＡ4の値、−２．１８３０Ｅ−４は、−２．１８３０×１０-4とも表示され得るが、本数値データ中では、全て前者の形式で表示してある。
さらに、カバーガラスとＣＣＤ等電子撮像素子の受光面間距離はいずれの実施例でも１ｍｍである。ＣＣＤの有効撮像領域対角長は、いずれも７．２０ｍｍである。
【実施例１】
【００３２】
図１は、本実施例にかかるズームレンズの構成を示す光軸に沿う断面図であり、（ａ）は広角端、（ｂ）は中間、（ｃ）は望遠端での状態をそれぞれ示している。図２は本実施例に係るズームレンズの無限遠合焦点時での球面収差、非点収差、歪曲収差、倍率色収差を示す収差図であり、（ａ）は広角端、（ｂ）は中間、（ｃ）は望遠端での状態を示している。
【００３３】
本実施例のズームレンズは、図１（ａ）乃至（ｃ）に示すように、負のパワーを有する第１レンズ群Ｇ1、正のパワーを有する第２レンズ群Ｇ2及び正のパワーを有する第３レンズ群Ｇ3により構成されている。第１レンズ群Ｇ1は、像側に強い凹面を向けた負レンズＬ11と正レンズＬ12とにより構成されている。第２レンズ群Ｇ2は正レンズＬ21と、正レンズＬ22及び負レンズＬ23の順からなる接合レンズと、正レンズＬ24とにより構成されている。第３レンズ群Ｇ3は１枚の正レンズＬ3により構成されている。そして、第１レンズ群Ｇ1、第２レンズ群Ｇ2及び第３レンズ群Ｇ3は、それぞれ独立に光軸Ｌｃ上を移動できるようになっている。また、Ｓは絞り、Ｆは光学的ローパスフィルター、赤外線カットフィルターといったフィルター類を示している。ＣＧはＣＣＤやＣＭＯＳ等の電子撮像素子のカバーガラスである。このように構成された本実施例のズームレンズでは、第１レンズ群Ｇ1、第２レンズ群Ｇ2及び第３レンズ群Ｇ3が光軸Ｌｃ上を移動することにより、変倍が行なわれる。
【００３４】
次に、本実施例にかかるズームレンズを構成するレンズの数値データを示す。
【００３５】
面             ＲＤＹ            ＴＨＩ            Ｎｄ            Ｖｄ
1            -57.9168           1.1000          1.76802           49.24
2$             7.6241           2.5000          1
3             14.8063           2.1576          1.84666           23.78
4             50.2409            Ｄ４           1
絞り              ∞              0.8000          1
6$            13.1884           1.9014          1.69350           53.20
7$          -840.7341           0.1000          1
8              6.4514           3.3914          1.48749           70.23
9             71.1543           3.1000          1.82114           24.06
10              5.1286           2.7667          1
11              9.7367           2.9000          1.66680           33.00
12             25.9941           Ｄ１２          1
13$            23.4382           2.0449          1.58313           59.46
14$           -58.1099           Ｄ１４          1
15               ∞              0.9500          1.54771           62.84
16               ∞              0.6000          1
17               ∞              0.5000          1.51633           64.14
18               ∞
$印：非球面
【００３６】
非球面係数
面     ＲＤＹ         Ｋ
2      7.6241      -0.2100
Ａ4           Ａ6           Ａ8           Ａ10
-2.1830E-4    8.1953E-7   -9.2255E-8    6.7644E-10 
面     ＲＤＹ         Ｋ
6     13.1884     -14.9562
Ａ4           Ａ6           Ａ8           Ａ10
1.1095E-3   -2.0903E-5    1.0712E-6    3.2104E-9
面     ＲＤＹ         Ｋ
7   -840.7341      -0.1019
Ａ4           Ａ6           Ａ8           Ａ10
3.9137E-4    9.7574E-6   -6.9480E-8    4.1396E-8
面     ＲＤＹ         Ｋ
10      5.1286       0.0140
Ａ4           Ａ6           Ａ8           Ａ10
2.7213E-4    1.9577E-5   -8.9370E-7    6.7425E-8
面     ＲＤＹ         Ｋ
13     23.4382       0
Ａ4           Ａ6           Ａ8           Ａ10
-1.0251E-3    5.6208E-5   -1.0253E-6    1.8728E-8
面     ＲＤＹ         Ｋ
14    -58.1099       0
Ａ4           Ａ6           Ａ8           Ａ10
-1.2958E-3    8.0593E-5   -1.9831E-6    4.1178E-8
【００３７】
ズームデータ
広角端           中間           望遠端
焦点距離            6.12           16.0            29.4 
ＦＮＯ．            2.55            3.93            5.94
Ｄ４             25.33            6.17            1.20
Ｄ１２             2.02           10.63           25.97
Ｄ１４             1.55            3.75            5.01
【００３８】
また、前記条件式データは、｜β２Ｔ｜＝２．５６、｜ｆ１｜／ｆＴ＝０．５４、ｆ３／ｆＴ＝０．９８、｜ｖ22−ｖ23｜＝４６．１７である。
【実施例２】
【００３９】
図３は、本実施例にかかるズームレンズの構成を示す光軸に沿う断面図であり、（ａ）は広角端、（ｂ）は中間、（ｃ）は望遠での状態をそれぞれ示している。図４は本実施例に係るズームレンズの無限遠合焦点時での球面収差、非点収差、歪曲収差、倍率色収差を示す収差図であり、（ａ）は広角端、（ｂ）は中間、（ｃ）は望遠端での状態を示している。
【００４０】
本実施例のズームレンズは、図３（ａ）乃至（ｃ）に示すように、負のパワーを有する第１レンズ群Ｇ1、正のパワーを有する第２レンズ群Ｇ2及び正のパワーを有する第３レンズ群Ｇ3により構成されている。第１レンズ群Ｇ1は、像側に強い凹面を向けた負レンズＬ11と正レンズＬ12とにより構成されている。第２レンズ群Ｇ2は正レンズＬ21と、正レンズＬ22及び負レンズＬ23の順からなる接合レンズと、正レンズＬ24とにより構成されている。第３レンズ群Ｇ3は１枚の正レンズＬ3により構成されている。そして、第１レンズ群Ｇ1、第２レンズ群Ｇ2及び第３レンズ群Ｇ3は、それぞれ独立に光軸Ｌｃ上を移動できるようになっている。また、Ｓは絞り、Ｆは光学的ローパスフィルター、赤外線カットフィルターといったフィルター類を示している。ＣＧはＣＣＤやＣＭＯＳ等の電子撮像素子のカバーガラスである。このように構成された本実施例のズームレンズでは、第１レンズ群Ｇ1、第２レンズ群Ｇ2及び第３レンズ群Ｇ3が光軸Ｌｃ上を移動することにより、変倍が行なわれる。
【００４１】
次に、本実施例にかかるズームレンズを構成するレンズの数値データを示す。
【００４２】
面             ＲＤＹ            ＴＨＩ            Ｎｄ            Ｖｄ
1           3821.6144           1.1000          1.80610           40.73
2$             7.0024           2.5346          1
3             12.6271           2.0798          1.92286           20.88
4             27.4692            Ｄ４           1
絞り              ∞              0.8000          1
6$            13.3331           1.9000          1.58313           59.46
7$           -58.2694           0.1000          1
8              8.0293           3.5504          1.69680           55.53
9            -10.5393           2.0000          1.80100           34.97
10              5.2977           1.4479          1
11             12.0406           2.6000          1.69680           55.53
12             73.6700           Ｄ１２          1
13$            16.5116           2.3000          1.49700           81.61
14$          -267.8961           Ｄ１４          1
15               ∞              0.9500          1.54771           62.84
16               ∞              0.6000          1
17               ∞              0.5000          1.51633           64.14
18               ∞
$印：非球面
【００４３】
非球面係数
面     ＲＤＹ         Ｋ
2      7.0024      -0.2100
Ａ4           Ａ6           Ａ8           Ａ10
-1.7277E-4   -1.0610E-6   -3.5567E-8   -5.6566E-10 
面     ＲＤＹ         Ｋ
6     13.3331     -14.9562
Ａ4           Ａ6           Ａ8           Ａ10
7.9163E-4   -2.0792E-5    6.2009E-7   -4.8320E-9
面     ＲＤＹ         Ｋ
7    -58.2694      -0.1019
Ａ4           Ａ6           Ａ8           Ａ10
1.3254E-5    5.2361E-6   -2.4081E-7    9.9448E-9
面     ＲＤＹ         Ｋ
13     16.5116       0
Ａ4           Ａ6           Ａ8           Ａ10
-1.2564E-3    1.0687E-4   -4.2596E-6    7.8329E-8
面     ＲＤＹ         Ｋ
14   -267.8961       0
Ａ4           Ａ6           Ａ8           Ａ10
-1.6990E-3    1.4652E-4   -5.8322E-6    1.0655E-7
【００４４】
ズームデータ
広角端           中間           望遠端
焦点距離            6.12           16.0            29.4 
ＦＮＯ．            2.59            3.98            6.05
Ｄ４             24.09            5.65            1.00
Ｄ１２             3.83           12.39           28.26
Ｄ１４             1.89            4.33            5.26
【００４５】
また、前記条件式データは、｜β２Ｔ｜＝２．６９、｜ｆ１｜／ｆＴ＝０．５２、ｆ３／ｆＴ＝１．０６、｜ｖ22−ｖ23｜＝２０．５６である。
【実施例３】
【００４６】
図５は、本実施例にかかるズームレンズの構成を示す光軸に沿う断面図であり、（ａ）は広角端、（ｂ）は中間、（ｃ）は望遠端での状態をそれぞれ示している。図６は本実施例に係るズームレンズの無限遠合焦点時での球面収差、非点収差、歪曲収差、倍率色収差を示す収差図であり、（ａ）は広角端、（ｂ）は中間、（ｃ）は望遠端での状態を示している。
【００４７】
本実施例のズームレンズは、図５（ａ）乃至（ｃ）に示すように、負のパワーを有する第１レンズ群Ｇ1、正のパワーを有する第２レンズ群Ｇ2及び正のパワーを有する第３レンズ群Ｇ3により構成されている。第１レンズ群Ｇ1は、像側に強い凹面を向けた負レンズＬ11と正レンズＬ12とにより構成されている。第２レンズ群Ｇ2は正レンズＬ21と、正レンズＬ22及び負レンズＬ23の順からなる接合レンズと、正レンズＬ24とにより構成されている。第３レンズ群Ｇ3は１枚の正レンズＬ3により構成されている。そして、第１レンズ群Ｇ1、第２レンズ群Ｇ2及び第３レンズ群Ｇ3は、それぞれ独立に光軸Ｌｃ上を移動できるようになっている。また、Ｓは絞り、Ｆは光学的ローパスフィルター、赤外線カットフィルターといったフィルター類を示している。ＣＧはＣＣＤやＣＭＯＳ等の電子撮像素子のカバーガラスである。このように構成された本実施例のズームレンズでは、第１レンズ群Ｇ1、第２レンズ群Ｇ2及び第３レンズ群Ｇ3が光軸Ｌｃ上を移動することにより、変倍が行なわれる。
【００４８】
次に、本実施例にかかるズームレンズを構成するレンズの数値データを示す。
【００４９】
面             ＲＤＹ            ＴＨＩ            Ｎｄ            Ｖｄ
1            -56.4648           1.1000          1.76800           49.24
2$             7.6031           2.5000          1
3$            14.2915           2.1285          1.82114           24.06
4             49.6825            Ｄ４           1
絞り              ∞              0.8000          1
6$            13.4092           1.7637          1.69350           53.20
7$           -87.1251           0.1000          1
8              6.3794           2.4500          1.48749           70.23
9             21.2955           2.6439          1.84666           23.78
10              4.9368           2.5923          1
11             12.0010           2.9000          1.80610           40.90
12             25.7249           Ｄ１２          1
13$            20.4090           2.2350          1.58313           59.46
14$           -97.3305           Ｄ１４          1
15               ∞              0.9500          1.54771           62.84
16               ∞              0.6000          1
17               ∞              0.5000          1.51633           64.14
18               ∞
$印：非球面
【００５０】
非球面係数
面     ＲＤＹ         Ｋ
2      7.6031      -0.2100
Ａ4           Ａ6           Ａ8           Ａ10
-2.5033E-4    3.1022E-6   -2.1255E-7    1.7398E-9
面     ＲＤＹ         Ｋ
3     14.2915       0.0455
Ａ4           Ａ6           Ａ8           Ａ10
-2.3766E-5    1.1714E-6   -6.1239E-8    4.2828E-10 
面     ＲＤＹ         Ｋ
6     13.4092     -14.9562
Ａ4           Ａ6           Ａ8           Ａ10
9.7047E-4   -1.9353E-5    9.3475E-7    1.3660E-8
面     ＲＤＹ         Ｋ
7    -87.1251      -0.1019
Ａ4           Ａ6           Ａ8           Ａ10
2.9948E-4    8.8986E-6   -1.2250E-7    4.7922E-8
面     ＲＤＹ         Ｋ
13     20.4090       0
Ａ4           Ａ6           Ａ8           Ａ10
-1.2080E-3    5.6796E-5   -5.6965E-7    6.8543E-9
面     ＲＤＹ         Ｋ
14    -97.3305       0
Ａ4           Ａ6           Ａ8           Ａ10
-1.6435E-3    8.9772E-5   -1.7621E-6    3.3608E-8
【００５１】
ズームデータ
広角端           中間           望遠端
焦点距離            6.12           16.0            29.4 
ＦＮＯ．            2.54            3.96            5.95
Ｄ４             25.39            6.37            1.20
Ｄ１２             3.37           12.55           27.72
Ｄ１４             1.55            3.26            4.81
【００５２】
また、前記条件式データは、｜β２Ｔ｜＝２．６２、｜ｆ１｜／ｆＴ＝０．５３、ｆ３／ｆＴ＝０．９９、｜ｖ22−ｖ23｜＝４６．４５である。
【実施例４】
【００５３】
図７は、本実施例にかかるズームレンズの構成を示す光軸に沿う断面図であり、（ａ）は広角端、（ｂ）は中間、（ｃ）は望遠端での状態をそれぞれ示している。図８は本実施例に係るズームレンズの無限遠合焦点時での球面収差、非点収差、歪曲収差、倍率色収差を示す収差図であり、（ａ）は広角端、（ｂ）は中間、（ｃ）は望遠端での状態を示している。
【００５４】
本実施例のズームレンズは、図７（ａ）乃至（ｃ）に示すように、負のパワーを有する第１レンズ群Ｇ1、正のパワーを有する第２レンズ群Ｇ2及び正のパワーを有する第３レンズ群Ｇ3により構成されている。第１レンズ群Ｇ1は、像側に強い凹面を向けた負レンズＬ11と正レンズＬ12とにより構成されている。第２レンズ群Ｇ2は正レンズＬ21と、正レンズＬ22及び負レンズＬ23の順からなる接合レンズと、正レンズＬ24とにより構成されている。第３レンズ群Ｇ3は１枚の正レンズＬ3により構成されている。そして、第１レンズ群Ｇ1、第２レンズ群Ｇ2及び第３レンズ群Ｇ3は、それぞれ独立に光軸Ｌｃ上を移動できるようになっている。また、Ｓは絞り、Ｆは光学的ローパスフィルター、赤外線カットフィルターといったフィルター類を示している。ＣＧはＣＣＤやＣＭＯＳ等の電子撮像素子のカバーガラスである。このように構成された本実施例のズームレンズでは、第１レンズ群Ｇ1、第２レンズ群Ｇ2及び第３レンズ群Ｇ3が光軸Ｌｃ上を移動することにより、変倍が行なわれる。
【００５５】
次に、本実施例にかかるズームレンズを構成するレンズの数値データを示す。
【００５６】
面             ＲＤＹ            ＴＨＩ            Ｎｄ            Ｖｄ
1$           -71.7842           1.1000          1.77377           47.17
2$             7.5287           2.5000          1
3             12.9107           2.3003          1.84666           23.78
4             32.3200            Ｄ４           1
絞り              ∞              0.8000          1
6$            14.4642           1.9406          1.58913           61.25
7$           -35.0373           0.1000          1
8              8.3746           3.5696          1.69680           55.53
9            -11.4282           1.8000          1.80100           34.97
10              5.4359           1.2000          1
11             13.3804           2.6000          1.72916           54.68
12             65.7185           Ｄ１２          1
13$            15.1320           2.6492          1.48749           70.44
14$           289.1690           Ｄ１４          1
15               ∞              0.9500          1.54771           62.84
16               ∞              0.6000          1
17               ∞              0.5000          1.51633           64.14
18               ∞
$印：非球面
【００５７】
非球面係数
面     ＲＤＹ         Ｋ
1    -71.7842       0
Ａ4           Ａ6           Ａ8 
1.3281E-4   -8.9083E-7   -2.2591E-9
面     ＲＤＹ         Ｋ
2      7.5287      -0.2100
Ａ4           Ａ6           Ａ8           Ａ10
-1.0273E-5    1.3895E-6   -7.8538E-8   -2.6185E-10 
面     ＲＤＹ         Ｋ
6     14.4642     -14.9562
Ａ4           Ａ6           Ａ8           Ａ10
4.9678E-4   -2.4302E-5    7.3888E-7   -3.1054E-8
面     ＲＤＹ         Ｋ
7    -35.0373      -0.1019
Ａ4           Ａ6           Ａ8           Ａ10
-1.1737E-4   -7.4090E-6    1.9176E-7   -2.0363E-8
面     ＲＤＹ         Ｋ
13     15.1320       0
Ａ4           Ａ6           Ａ8           Ａ10
-1.1690E-3    1.0228E-4   -4.0590E-6    7.2366E-8
面     ＲＤＹ         Ｋ
14    289.1690       0
Ａ4           Ａ6           Ａ8           Ａ10
-1.7860E-3    1.5734E-4   -6.3550E-6    1.1393E-7
【００５８】
ズームデータ
広角端           中間           望遠端
焦点距離            6.12           16.0            29.4 
ＦＮＯ．            2.50            3.84            5.86
Ｄ４             24.42            5.59            1.00
Ｄ１２             4.28           12.19           28.18
Ｄ１４             1.55            4.47            5.20
【００５９】
また、前記条件式データは、｜β２Ｔ｜＝２．６８、｜ｆ１｜／ｆＴ＝０．５２、ｆ３／ｆＴ＝１．１１、｜ｖ22−ｖ23｜＝２０．５６である。
【実施例５】
【００６０】
図９は、本実施例にかかるズームレンズの構成を示す光軸に沿う断面図であり、（ａ）は広角端、（ｂ）は中間、（ｃ）は望遠端での状態をそれぞれ示している。図１０は本実施例に係るズームレンズの無限遠合焦点時での球面収差、非点収差、歪曲収差、倍率色収差を示す収差図であり、（ａ）は広角端、（ｂ）は中間、（ｃ）は望遠端での状態を示している。
【００６１】
本実施例のズームレンズは、図９（ａ）乃至（ｃ）に示すように、負のパワーを有する第１レンズ群Ｇ1、正のパワーを有する第２レンズ群Ｇ2及び正のパワーを有する第３レンズ群Ｇ3により構成されている。第１レンズ群Ｇ1は、像側に強い凹面を向けた負レンズＬ11と正レンズＬ12とにより構成されている。第２レンズ群Ｇ2は正レンズＬ21と、正レンズＬ22及び負レンズＬ23の順からなる接合レンズと、正レンズＬ24とにより構成されている。第３レンズ群Ｇ3は１枚の正レンズＬ3により構成されている。そして、第１レンズ群Ｇ1、第２レンズ群Ｇ2及び第３レンズ群Ｇ3は、それぞれ独立に光軸Ｌｃ上を移動できるようになっている。また、Ｓは絞り、Ｆは光学的ローパスフィルター、赤外線カットフィルターといったフィルター類を示している。ＣＧはＣＣＤやＣＭＯＳ等の電子撮像素子のカバーガラスである。このように構成された本実施例のズームレンズでは、第１レンズ群Ｇ1、第２レンズ群Ｇ2及び第３レンズ群Ｇ3が光軸Ｌｃ上を移動することにより、変倍が行なわれる。
【００６２】
次に、本実施例にかかるズームレンズを構成するレンズの数値データを示す。
【００６３】
面             ＲＤＹ            ＴＨＩ            Ｎｄ            Ｖｄ
1           -162.9635           1.1000          1.77377           47.17
2$             7.0981           2.5000          1
3             12.7928           2.3000          1.84666           23.78
4             31.4308            Ｄ４           1
絞り              ∞              0.8000          1
6$            14.3834           1.9731          1.58913           61.25
7$           -37.1198           0.1000          1
8              8.1872           3.4338          1.69680           55.53
9            -12.1414           1.8000          1.80100           34.97
10              5.3637           1.2000          1
11             12.2313           2.6000          1.72916           54.68
12             46.3160           Ｄ１２          1
13$            16.0438           2.8931          1.48749           70.44
14$          -413.3154           Ｄ１４          1
15               ∞              0.9500          1.54771           62.84
16               ∞              0.6000          1
17               ∞              0.5000          1.51633           64.14
18               ∞
$印：非球面
【００６４】
非球面係数
面     ＲＤＹ         Ｋ
2      7.0981      -0.2100
Ａ4           Ａ6           Ａ8           Ａ10
-1.9181E-4    1.3698E-6   -1.4998E-7    1.3783E-9
面     ＲＤＹ         Ｋ
6     14.3834     -14.9562
Ａ4           Ａ6           Ａ8           Ａ10
5.0864E-4   -2.0484E-5    7.2324E-7   -3.2492E-8
面     ＲＤＹ         Ｋ
7    -37.1198      -0.1019
Ａ4           Ａ6           Ａ8           Ａ10
-1.1930E-4   -2.8075E-6    1.5052E-7   -2.1677E-8
面     ＲＤＹ         Ｋ
13     16.0438       0
Ａ4           Ａ6           Ａ8           Ａ10
-1.0783E-3    1.0681E-4   -4.0356E-6    6.9484E-8
面     ＲＤＹ         Ｋ
14   -413.3154       0
Ａ4           Ａ6           Ａ8           Ａ10
-1.6528E-3    1.6592E-4   -6.3751E-6    1.1240E-7
【００６５】
ズームデータ
広角端           中間           望遠端
焦点距離            6.12           16.0            29.4 
ＦＮＯ．            2.48            3.84            5.84
Ｄ４             24.04            5.65            1.00
Ｄ１２             4.11           12.56           28.29
Ｄ１４             1.55            4.00            4.95
【００６６】
また、前記条件式データは、｜β２Ｔ｜＝２．６９、｜ｆ１｜／ｆＴ＝０．５２、ｆ３／ｆＴ＝１．０８、｜ｖ22−ｖ23｜＝２０．５６である。
【実施例６】
【００６７】
図１１は、本実施例にかかるズームレンズの構成を示す光軸に沿う断面図であり、（ａ）は広角端、（ｂ）は中間、（ｃ）は望遠端での状態をそれぞれ示している。図１２は本実施例に係るズームレンズの無限遠合焦点時での球面収差、非点収差、歪曲収差、倍率色収差を示す収差図であり、（ａ）は広角端、（ｂ）は中間、（ｃ）は望遠端での状態を示している。
【００６８】
本実施例のズームレンズは、図１１（ａ）乃至（ｃ）に示すように、負のパワーを有する第１レンズ群Ｇ1、正のパワーを有する第２レンズ群Ｇ2及び正のパワーを有する第３レンズ群Ｇ3により構成されている。第１レンズ群Ｇ1は、像側に強い凹面を向けた負レンズＬ11と正レンズＬ12とにより構成されている。第２レンズ群Ｇ2は正レンズＬ21と、正レンズＬ22及び負レンズＬ23の順からなる接合レンズと、正レンズＬ24とにより構成されている。第３レンズ群Ｇ3は１枚の正レンズＬ3により構成されている。そして、第１レンズ群Ｇ1、第２レンズ群Ｇ2及び第３レンズ群Ｇ3は、それぞれ独立に光軸Ｌｃ上を移動できるようになっている。また、Ｓは絞り、Ｆは光学的ローパスフィルター、赤外線カットフィルターといったフィルター類を示している。ＣＧはＣＣＤやＣＭＯＳ等の電子撮像素子のカバーガラスである。このように構成された本実施例のズームレンズでは、第１レンズ群Ｇ1、第２レンズ群Ｇ2及び第３レンズ群Ｇ3が光軸Ｌｃ上を移動することにより、変倍が行なわれる。
【００６９】
次に、本実施例にかかるズームレンズを構成するレンズの数値データを示す。
【００７０】
面             ＲＤＹ            ＴＨＩ            Ｎｄ            Ｖｄ
1            -76.8654           1.1000          1.76800           49.24
2$             7.4108           2.5000          1
3             14.0757           2.1293          1.84666           23.78
4             41.4176            Ｄ４           1
絞り              ∞              0.8000          1
6$            13.7990           1.7500          1.69350           53.20
7$           -50.2826           0.1000          1
8              6.7747           2.4500          1.48749           70.23
9             24.2442           2.9616          1.84666           23.78
10              4.9991           3.0000          1
11             12.4312           2.9000          1.80610           40.90
12             27.2223           Ｄ１２          1
13$            24.1955           2.4802          1.58313           59.46
14$           -54.5901           Ｄ１４          1
15               ∞              0.9500          1.54771           62.84
16               ∞              0.6000          1
17               ∞              0.5000          1.51633           64.14
18               ∞
$印：非球面
【００７１】
非球面係数
面     ＲＤＹ         Ｋ
2      7.4108      -0.2100
Ａ4           Ａ6           Ａ8           Ａ10
-2.1674E-4    1.3768E-6   -1.2739E-7    1.0989E-9
面     ＲＤＹ         Ｋ
6     13.7990     -14.9562
Ａ4           Ａ6           Ａ8           Ａ10
7.3613E-4   -1.6406E-5    5.4791E-7    8.5828E-9
面     ＲＤＹ         Ｋ
7    -50.2826      -0.1019
Ａ4           Ａ6           Ａ8           Ａ10
1.1101E-4    5.5106E-6   -9.8595E-8    2.2222E-8
面     ＲＤＹ         Ｋ
13     24.1955       0
Ａ4           Ａ6           Ａ8           Ａ10
-1.0800E-3    5.1316E-5   -1.1275E-6    2.2800E-8
面     ＲＤＹ         Ｋ
14    -54.5901       0
Ａ4           Ａ6           Ａ8           Ａ10
-1.4693E-3    8.1671E-5   -2.2999E-6    4.6265E-8
【００７２】
ズームデータ
広角端           中間           望遠端
焦点距離            6.12           16.0            29.4 
ＦＮＯ．            2.52            3.93            5.91
Ｄ４             24.94            6.22            1.20
Ｄ１２             2.48           11.53           26.73
Ｄ１４             1.55            3.38            4.84
【００７３】
また、前記条件式データは、｜β２Ｔ｜＝２．６５、｜ｆ１｜／ｆＴ＝０．５３、ｆ３／ｆＴ＝０．９８、｜ｖ22−ｖ23｜＝４６．４５である。
【実施例７】
【００７４】
図１３は、本実施例にかかるズームレンズの構成を示す光軸に沿う断面図であり、（ａ）は広角端、（ｂ）は中間、（ｃ）は望遠端での状態をそれぞれ示している。図１４は本実施例に係るズームレンズの無限遠合焦点時での球面収差、非点収差、歪曲収差、倍率色収差を示す収差図であり、（ａ）は広角端、（ｂ）は中間、（ｃ）は望遠端での状態を示している。
【００７５】
本実施例のズームレンズは、図１３（ａ）乃至（ｃ）に示すように、負のパワーを有する第１レンズ群Ｇ1、正のパワーを有する第２レンズ群Ｇ2及び正のパワーを有する第３レンズ群Ｇ3により構成されている。第１レンズ群Ｇ1は、像側に強い凹面を向けた負レンズＬ11と正レンズＬ12とにより構成されている。第２レンズ群Ｇ2は正レンズＬ21と、正レンズＬ22及び負レンズＬ23の順からなる接合レンズと、正レンズＬ24とにより構成されている。第３レンズ群Ｇ3は１枚の正レンズＬ3により構成されている。そして、第１レンズ群Ｇ1、第２レンズ群Ｇ2及び第３レンズ群Ｇ3は、それぞれ独立に光軸Ｌｃ上を移動できるようになっている。また、Ｓは絞り、Ｆは光学的ローパスフィルター、赤外線カットフィルターといったフィルター類を示している。ＣＧはＣＣＤやＣＭＯＳ等の電子撮像素子のカバーガラスである。このように構成された本実施例のズームレンズでは、第１レンズ群Ｇ1、第２レンズ群Ｇ2及び第３レンズ群Ｇ3が光軸Ｌｃ上を移動することにより、変倍が行なわれる。
【００７６】
次に、本実施例にかかるズームレンズを構成するレンズの数値データを示す。
【００７７】
面             ＲＤＹ            ＴＨＩ            Ｎｄ            Ｖｄ
1            -69.8941           1.3000          1.86100           40.73
2$             7.2690           2.5479          1
3             15.1334           2.3332          1.84666           23.78
4             96.7893            Ｄ４           1
絞り              ∞              0.8000          1
6$            13.2514           2.1225          1.58913           61.25
7$           -31.8620           0.3846          1
8              8.1260           3.5000          1.67790           55.34
9            -28.9813           2.0000          1.90366           31.31
10              5.3172           1.2001          1
11             14.3446           2.6000          1.72000           46.20
12            151.6777           Ｄ１２          1
13$            10.8450           2.0893          1.49700           81.61
14$            32.1577           Ｄ１４          1
15               ∞              0.9500          1.54771           62.84
16               ∞              0.6000          1
17               ∞              0.5000          1.51633           64.14
18               ∞
$印：非球面
【００７８】
非球面係数
面     ＲＤＹ         Ｋ
2      7.2690      -0.2100
Ａ4           Ａ6           Ａ8           Ａ10
-2.4460E-4   -1.3274E-7   -8.1816E-8    3.3658E-10 
面     ＲＤＹ         Ｋ
6     13.2514     -14.9562
Ａ4           Ａ6           Ａ8           Ａ10
5.8396E-4   -3.6513E-5    1.3443E-6   -5.2218E-8
面     ＲＤＹ         Ｋ
7    -31.8620      -0.1019
Ａ4           Ａ6           Ａ8           Ａ10
-2.0316E-4   -8.9653E-6    3.2982E-7   -2.9683E-8
面     ＲＤＹ         Ｋ
13     10.8450       0
Ａ4           Ａ6           Ａ8           Ａ10
-6.9496E-4    4.8793E-5   -1.2248E-6    1.9803E-8
面     ＲＤＹ         Ｋ
14     32.1577       0
Ａ4           Ａ6           Ａ8           Ａ10
-1.0925E-3    7.4952E-5   -1.9895E-6    3.1831E-8 
【００７９】
ズームデータ
広角端           中間           望遠端
焦点距離            6.12           16.0            29.4 
ＦＮＯ．            2.57            3.98            6.08
Ｄ４             25.93            5.98            1.00
Ｄ１２             4.23           12.53           28.27
Ｄ１４             1.55            4.04            4.79
【００８０】
また、前記条件式データは、｜β２Ｔ｜＝２．５６、｜ｆ１｜／ｆＴ＝０．５５、ｆ３／ｆＴ＝１．０８、｜ｖ22−ｖ23｜＝２４．０３である。
【実施例８】
【００８１】
図１５は、本実施例にかかるズームレンズの構成を示す光軸に沿う断面図であり、（ａ）は広角端、（ｂ）は中間、（ｃ）は望遠端での状態をそれぞれ示している。図１６は本実施例に係るズームレンズの無限遠合焦点時での球面収差、非点収差、歪曲収差、倍率色収差を示す収差図であり、（ａ）は広角端、（ｂ）は中間、（ｃ）は望遠端での状態を示している。
【００８２】
本実施例のズームレンズは、図１５（ａ）乃至（ｃ）に示すように、負のパワーを有する第１レンズ群Ｇ1、正のパワーを有する第２レンズ群Ｇ2及び正のパワーを有する第３レンズ群Ｇ3により構成されている。第１レンズ群Ｇ1は、像側に強い凹面を向けた負レンズＬ11と正レンズＬ12とにより構成されている。第２レンズ群Ｇ2は正レンズＬ21と、正レンズＬ22及び負レンズＬ23の順からなる接合レンズと、正レンズＬ24とにより構成されている。第３レンズ群Ｇ3は１枚の正レンズＬ3により構成されている。そして、第１レンズ群Ｇ1、第２レンズ群Ｇ2及び第３レンズ群Ｇ3は、それぞれ独立に光軸Ｌｃ上を移動できるようになっている。また、Ｓは絞り、Ｆは光学的ローパスフィルター、赤外線カットフィルターといったフィルター類を示している。ＣＧはＣＣＤやＣＭＯＳ等の電子撮像素子のカバーガラスである。このように構成された本実施例のズームレンズでは、第１レンズ群Ｇ1、第２レンズ群Ｇ2及び第３レンズ群Ｇ3が光軸Ｌｃ上を移動することにより、変倍が行なわれる。
【００８３】
次に、本実施例にかかるズームレンズを構成するレンズの数値データを示す。
【００８４】
面             ＲＤＹ            ＴＨＩ            Ｎｄ            Ｖｄ
1            -69.9579           1.1000          1.76800           49.24
2$             7.5815           2.5000          1
3             14.4505           2.1372          1.84666           23.78
4             45.3315            Ｄ４           1
絞り              ∞              0.8000          1
6$            13.8143           1.7500          1.69350           53.20
7$          -283.9706           0.1000          1
8              6.8697           2.7940          1.48749           70.23
9             36.8382           3.1000          1.84666           23.78
10              5.9376           2.9948          1
11$             8.5549           2.9000          1.80610           40.73
12             12.5272           Ｄ１２          1
13$            34.1994           2.1173          1.58313           59.46
14$           -31.9012           Ｄ１４          1
15               ∞              0.9500          1.54771           62.84
16               ∞              0.6000          1
17               ∞              0.5000          1.51633           64.14
18               ∞
$印：非球面
【００８５】
非球面係数
面     ＲＤＹ         Ｋ
2      7.5815      -0.2100
Ａ4           Ａ6           Ａ8           Ａ10
-2.0239E-4    5.1004E-7   -7.9229E-8    4.0844E-10 
面     ＲＤＹ         Ｋ
6     13.8143     -14.9562
Ａ4           Ａ6           Ａ8           Ａ10
8.1913E-4   -1.1768E-5    6.3499E-7    7.1785E-9
面     ＲＤＹ         Ｋ
7   -283.9706      -0.1019
Ａ4           Ａ6           Ａ8           Ａ10
1.7201E-4    1.3606E-5   -2.6313E-7    3.2648E-8
面     ＲＤＹ         Ｋ
11      8.5549       0
Ａ4           Ａ6           Ａ8           Ａ10
-2.6570E-4   -4.0829E-6   -1.1997E-7         0 
面     ＲＤＹ         Ｋ
13     34.1994       0
Ａ4           Ａ6           Ａ8           Ａ10
-1.1368E-3    6.0230E-5   -7.5498E-7    1.6295E-8
面     ＲＤＹ         Ｋ
14    -31.9012       0
Ａ4           Ａ6           Ａ8           Ａ10
-1.3803E-3    8.3402E-5   -1.8808E-6    4.7716E-8
【００８６】
ズームデータ
広角端           中間           望遠端
焦点距離            6.12           16.0            29.4 
ＦＮＯ．            2.65            4.12            6.18
Ｄ４             25.20            6.33            1.20
Ｄ１２             2.75           11.52           26.25
Ｄ１４             1.55            3.41            5.20
【００８７】
また、前記条件式データは、｜β２Ｔ｜＝２．６４、｜ｆ１｜／ｆＴ＝０．５３、ｆ３／ｆＴ＝０．９７、｜ｖ22−ｖ23｜＝４６．４５である。
【実施例９】
【００８８】
図１７は、本実施例にかかるズームレンズの構成を示す光軸に沿う断面図であり、（ａ）は広角端、（ｂ）は中間、（ｃ）は望遠端での状態をそれぞれ示している。図１８は本実施例に係るズームレンズの無限遠合焦点時での球面収差、非点収差、歪曲収差、倍率色収差を示す収差図であり、（ａ）は広角端、（ｂ）は中間、（ｃ）は望遠端での状態を示している。
【００８９】
本実施例のズームレンズは、図１７（ａ）乃至（ｃ）に示すように、負のパワーを有する第１レンズ群Ｇ1、正のパワーを有する第２レンズ群Ｇ2及び正のパワーを有する第３レンズ群Ｇ3により構成されている。第１レンズ群Ｇ1は、像側に強い凹面を向けた負レンズＬ11と正レンズＬ12とにより構成されている。第２レンズ群Ｇ2は正レンズＬ21と、正レンズＬ22及び負レンズＬ23の順からなる接合レンズと、正レンズＬ24とにより構成されている。第３レンズ群Ｇ3は１枚の正レンズＬ3により構成されている。そして、第１レンズ群Ｇ1、第２レンズ群Ｇ2及び第３レンズ群Ｇ3は、それぞれ独立に光軸Ｌｃ上を移動できるようになっている。また、Ｓは絞り、Ｆは光学的ローパスフィルター、赤外線カットフィルターといったフィルター類を示している。ＣＧはＣＣＤやＣＭＯＳ等の電子撮像素子のカバーガラスである。このように構成された本実施例のズームレンズでは、第１レンズ群Ｇ1、第２レンズ群Ｇ2及び第３レンズ群Ｇ3が光軸Ｌｃ上を移動することにより、変倍が行なわれる。
【００９０】
次に、本実施例にかかるズームレンズを構成するレンズの数値データを示す。
【００９１】
面             ＲＤＹ            ＴＨＩ            Ｎｄ            Ｖｄ
1            -62.1415           1.2000          1.76800           49.24
2$             7.5461           2.5000          1
3             14.4687           2.1342          1.84666           23.78
4             45.8608            Ｄ４           1
絞り              ∞              0.8000          1
6$            13.3314           1.7940          1.69350           53.20
7$           -98.1277           0.1000          1
8              6.7335           2.4500          1.48749           70.23
9             27.0240           3.1000          1.84666           23.78
10              5.2131           3.0000          1
11              9.5989           2.9000          1.80610           40.73
12$            16.2830           Ｄ１２          1
13$            26.0807           2.0003          1.58313           59.46
14$           -46.0797           Ｄ１４          1
15               ∞              0.9500          1.54771           62.84
16               ∞              0.6000          1
17               ∞              0.5000          1.51633           64.14
18 
$印：非球面
【００９２】
非球面係数
面     ＲＤＹ         Ｋ
2      7.5461      -0.2100
Ａ4           Ａ6           Ａ8           Ａ10
-2.0591E-4    2.8062E-7   -7.7952E-8    4.6987E-10 
面     ＲＤＹ         Ｋ
6     13.3314     -14.9562
Ａ4           Ａ6           Ａ8           Ａ10
9.9172E-4   -2.3288E-5    1.0086E-6    1.1548E-8
面     ＲＤＹ         Ｋ
7    -98.1277      -0.1019
Ａ4           Ａ6           Ａ8           Ａ10
3.0519E-4    4.6409E-6   -4.5398E-8    4.4918E-8
面     ＲＤＹ         Ｋ
12     16.2830       0
Ａ4           Ａ6           Ａ8           Ａ10
7.7905E-5    1.3463E-5   -1.1244E-6    4.2406E-8
面     ＲＤＹ         Ｋ
13     26.0807       0
Ａ4           Ａ6           Ａ8           Ａ10
-1.4391E-3    6.6890E-5   -6.2325E-7    9.6776E-9
面     ＲＤＹ         Ｋ
14    -46.0797       0
Ａ4           Ａ6           Ａ8           Ａ10
-1.7633E-3    9.7837E-5   -2.0179E-6    4.4536E-8
【００９３】
ズームデータ
広角端           中間           望遠端
焦点距離            6.12           16.0            29.4 
ＦＮＯ．            2.65            4.12            6.18
Ｄ４             25.05            6.31            1.20
Ｄ１２             2.84           11.77           26.68
Ｄ１４             1.55            3.35            5.09
【００９４】
また、前記条件式データは、｜β２Ｔ｜＝２．６５、｜ｆ１｜／ｆＴ＝０．５３、ｆ３／ｆＴ＝０．９８、｜ｖ22−ｖ23｜＝４６．４５である。
【００９５】
以上、説明した本発明のズームレンズは、物体像を形成し、その像をＣＣＤ等の固体撮像素子に受光させて撮影を行う撮影装置、とりわけカメラに用いることができる。また、接眼レンズを通して物体増を観察する観察装置、とりわけカメラのファインダー部の対物光学系としても用いることが可能である。以下にその実施形態を例示する。
【００９６】
図１９〜図２１は、本発明のズームレンズを電子カメラの撮影光学系に組み込んだ構成の概念図を示す。図１９は、電子カメラ１０の概観を示す前方斜視図、図２０は同後方斜視図、図２１は電子カメラ１０の構成を示す断面図である。電子カメラ１０は、この例の場合、撮影用光路３１を有する本発明の実施例１のように構成した撮影光学系２０、ファインダー用光路３２を有するファインダー光学系４０、シャッター１１、フラッシュ１２、液晶モニター１３等を含み、カメラ１０の上部に配置されたシャッター１１を押圧すると、それに連動して撮影光学系２０を通して撮影が行われる。撮影光学系２０によって形成された物体像が、ローパスフィルター、赤外線カットフィルター等のフィルターＦを介してＣＣＤ１４の撮像面１５上に形成される。このＣＣＤ１４で受光された物体像は、処理手段１６を介し、電子画像としてカメラ背面に設けられた液晶表示モニター１３に表示される。また、この処理手段１６にメモリ等を配し、撮影された電子画像を記録することもできる。なお、このメモリは処理手段１６と別体に設けても良いし、フロッピー（登録商標）ディスク等により電子的に記録書き込みを行うように構成しても良い。また、ＣＣＤ１４に代わって銀塩フィルムを配した銀塩カメラとして構成しても良い。
【００９７】
さらに、ファインダー用光路３２上には、ファインダー用対物光学系４１が配してある。このファインダー用対物光学系４１の結像面４２上に形成された物体像は、像正立部材であるポロプリズム４３を介して視野枠４４上に形成される。なお、視野枠４４は、ポロプリズム４３の第１反射面４３１と第２反射面４３２との間に配置されている。このポロプリズム４３の後方には、正立正像にされた像を観察者眼球Ｅに導く接眼光学系５０が配置されている。なお、撮影光学系２０及びファインダー用対物光学系４１の入射面、接眼光学系５０の射出面にそれぞれカバー部材１７が配置されている。
【００９８】
このように構成されたカメラ１０は、撮影光学系２０が高変倍比であり、収差が良好なズームレンズであるので、高性能化が実現できると共に、撮影光学系２０を少ない光学部材で構成できるため、小型化、低コスト化が実現できる。
【００９９】
なお、図２１の構成において、カバー部材１７として平行平面板を配置しているが、パワーを持ったレンズとしても良い。
【０１００】
次に、図２２は、本発明のズームレンズを電子カメラ１０の撮影部である撮影用対物光学系６０に組み込んだ構成の概念図である。この構成では、本発明によるズームレンズは撮影用光路３１上に配置された撮影用対物光学系６０に用いている。この撮影用対物光学系６０により形成された物体像は、ローパスフィルター、赤外線カットフィルター等のフィルターＦを介してＣＣＤ１４の撮像面１５上に形成される。このＣＣＤ１４で受光された物体像は、処理手段１６を介し、ＬＣＤ（液晶表示素子）１８上に電子像として表示される。また、この処理手段１６は、ＣＣＤ１４で撮影された物体像を電子情報として記録する記録手段１９の制御も行う。ＬＣＤ１８上に表示された画像は、接眼光学系５０を介して観察者眼球Ｅに導かれる。この接眼光学系５０は偏心プリズムからなり、この例では、入射面５１、反射面５２、及び反射と屈折の兼用面５３の３面から構成されている。また、反射作用を持つ反射面５２及び反射と屈折の兼用面５３のうち、少なくとも一方の面、望ましくは両方の面が光束にパワーを与え、且つ、偏心収差を補正する唯一の対称面を持つ面対象自由曲面にて形成されている。
【０１０１】
このように構成されたカメラ１０は、撮影光学系２０が高変倍比であり、収差が良好な変倍光学系であるので、高性能化が実現できると共に、撮影光学系２０を少ない光学部材で構成できるため、小型化、低コスト化が実現できる。
【０１０２】
なお、本例では、撮影用対物光学系６０のカバー部材１７として、平行平面板を配置しているが、前例と同様にパワーを持ったレンズを用いても良い。
【０１０３】
ここで、カバー部材を設けずに、本発明のズームレンズのうち最も物体側に配置された面をカバー部材と兼用することもできる。本例では、その最も物体側の面は第１レンズ群Ｇ１の入射面となる。
【図面の簡単な説明】
【０１０４】
【図１】本発明の第１実施例にかかるズームレンズの構成を示す光軸に沿う断面図であり、（ａ）は広角端、（ｂ）は中間、（ｃ）は望遠端での状態をそれぞれ示している。
【図２】本発明の第１実施例にかかるズームレンズの収差曲線図であり（ａ）は広角端、（ｂ）は中間、（ｃ）は望遠端での状態をそれぞれ示している。
【図３】本発明の第２実施例にかかるズームレンズの構成を示す光軸に沿う断面図であり、（ａ）は広角端、（ｂ）は中間、（ｃ）は望遠端での状態をそれぞれ示している。
【図４】本発明の第２実施例にかかるズームレンズの収差曲線図であり（ａ）は広角端、（ｂ）は中間、（ｃ）は望遠端での状態をそれぞれ示している。
【図５】本発明の第３実施例にかかるズームレンズの構成を示す光軸に沿う断面図であり、（ａ）は広角端、（ｂ）は中間、（ｃ）は望遠端での状態をそれぞれ示している。
【図６】本発明の第３実施例にかかるズームレンズの収差曲線図であり（ａ）は広角端、（ｂ）は中間、（ｃ）は望遠端での状態をそれぞれ示している。
【図７】本発明の第４実施例にかかるズームレンズの構成を示す光軸に沿う断面図であり、（ａ）は広角端、（ｂ）は中間、（ｃ）は望遠端での状態をそれぞれ示している。
【図８】本発明の第４実施例にかかるズームレンズの収差曲線図であり（ａ）は広角端、（ｂ）は中間、（ｃ）は望遠端での状態をそれぞれ示している。
【図９】本発明の第５実施例にかかるズームレンズの構成を示す光軸に沿う断面図であり、（ａ）は広角端、（ｂ）は中間、（ｃ）は望遠端での状態をそれぞれ示している。
【図１０】本発明の第５実施例にかかるズームレンズの収差曲線図であり（ａ）は広角端、（ｂ）は中間、（ｃ）は望遠端での状態をそれぞれ示している。
【図１１】本発明の第６実施例にかかるズームレンズの構成を示す光軸に沿う断面図であり、（ａ）は広角端、（ｂ）は中間、（ｃ）は望遠端での状態をそれぞれ示している。
【図１２】本発明の第６実施例にかかるズームレンズの収差曲線図であり（ａ）は広角端（ｂ）は中間、（ｃ）は望遠端での状態をそれぞれ示している。
【図１３】本発明の第７実施例にかかるズームレンズの構成を示す光軸に沿う断面図であり、（ａ）は広角端、（ｂ）は中間、（ｃ）は望遠端での状態をそれぞれ示している。
【図１４】本発明の第７実施例にかかるズームレンズの収差曲線図であり（ａ）は広角端、（ｂ）は中間、（ｃ）は望遠端での状態をそれぞれ示している。
【図１５】本発明の第８実施例にかかるズームレンズの構成を示す光軸に沿う断面図であり、（ａ）は広角端、（ｂ）は中間、（ｃ）は望遠端での状態をそれぞれ示している。
【図１６】本発明の第８実施例にかかるズームレンズの収差曲線図であり（ａ）は広角端、（ｂ）は中間、（ｃ）は望遠端での状態をそれぞれ示している。
【図１７】本発明の第９実施例にかかるズームレンズの構成を示す光軸に沿う断面図であり、（ａ）は広角端、（ｂ）は中間、（ｃ）は望遠端での状態をそれぞれ示している。
【図１８】本発明の第９実施例にかかるズームレンズの収差曲線図であり（ａ）は広角端、（ｂ）は中間、（ｃ）は望遠端での状態をそれぞれ示している。
【図１９】本発明の光学系を適用した電子カメラの外観を示す前方斜視図である。
【図２０】図１９の電子カメラの後方斜視図である。
【図２１】図１９の電子カメラの構成を示す断面図である。
【図２２】本発明の光学系を適用した別の電子カメラの概念図である。
【符号の説明】
【０１０５】
Ｇ1            第１レンズ群
Ｇ2            第２レンズ群
Ｇ3            第３レンズ群
Ｓ             絞り
Ｆ             フィルター
ＣＧ           カバーガラス
Ｌｃ           光軸
１０           電子カメラ
１１           シャッター
１２           フラッシュ
１３           液晶表示モニター
１４           ＣＣＤ
１５           撮像面
１６           処理手段
１７           カバー部材
１８           ＬＣＤ
１９           記録手段
２０           撮影光学系
３１           撮影用光路
３２           ファインダー用光路
４０           ファインダー光学系
４１           ファインダー用対物光学系
４２           結像面
４３           ポロプリズム
４３１         第１反射面
４３２         第２反射面
４４           視野枠
５０           接眼光学系
５１           入射面
５２           反射面
５３           反射と屈折の兼用面
６０           撮影用対物光学系
Ｅ             観察者眼球
【図１】
2006227197.tif 000003
【図２】
2006227197.tif 000004
【図３】
2006227197.tif 000005
【図４】
2006227197.tif 000006
【図５】
2006227197.tif 000007
【図６】
2006227197.tif 000008
【図７】
2006227197.tif 000009
【図８】
2006227197.tif 000010
【図９】
2006227197.tif 000011
【図１０】
2006227197.tif 000012
【図１１】
2006227197.tif 000013
【図１２】
2006227197.tif 000014
【図１３】
2006227197.tif 000015
【図１４】
2006227197.tif 000016
【図１５】
2006227197.tif 000017
【図１６】
2006227197.tif 000018
【図１７】
2006227197.tif 000019
【図１８】
2006227197.tif 000020
【図１９】
2006227197.tif 000021
【図２０】
2006227197.tif 000022
【図２１】
2006227197.tif 000023
【図２２】
2006227197.tif 000024